(57)【要約】【課題】ユーザが画像センサの検知領域を容易に確認することのできる負荷制御システムを提供する。【解決手段】負荷制御システム１は、検知領域１０内の人Ｈ１の存否を検知する画像センサ２と、検知領域１０を表示する表示部４５を有する表示端末４と、画像センサ２及び表示端末４が２線式の信号線Ｌ１を介して接続される伝送制御装置５とを備える。画像センサ２は、検知領域１０を示す領域データを含む伝送信号Ｓ１を、伝送制御装置５を経由して表示端末４に伝送するように構成されている。そして、表示端末４は、領域データに基づいて検知領域１０を表示部４５に表示するように構成されている。【選択図】図１
2015152314.tif 000002
【特許請求の範囲】
【請求項１】
検知対象の空間を撮像し且つ撮像した画像のうち予め設定された検知領域内の人の存否を検知する画像センサと、
前記検知領域を表示する表示部を有する表示端末と、
前記画像センサ及び前記表示端末が２線式の信号線を介して接続される伝送制御装置とを備え、
前記画像センサは、前記検知領域を示す領域データを含む伝送信号を、前記信号線を介して前記伝送制御装置に伝送するように構成され、
前記伝送制御装置は、前記画像センサから伝送された前記領域データと、前記表示端末のアドレスに一致するアドレスデータとを含む伝送信号を、前記信号線を介して前記表示端末に伝送するように構成され、
前記表示端末は、前記領域データに基づいて前記検知領域を前記表示部に表示するように構成されていることを特徴とする負荷制御システム。
【請求項２】
前記表示端末は、前記表示部に前記検知領域を段階的に表示するように構成されていることを特徴とする請求項１記載の負荷制御システム。
【請求項３】
前記表示端末は、前記表示部に前記検知領域をマトリクス状に表示するように構成されていることを特徴とする請求項１記載の負荷制御システム。
【請求項４】
前記表示端末は、操作入力に基づいて前記検知領域の変更を指示する変更データを生成する変更部を備え、
前記表示端末は、前記変更データを含む伝送信号を、前記信号線を介して前記伝送制御装置に伝送するように構成され、
前記伝送制御装置は、前記表示端末から伝送された前記変更データと、前記画像センサのアドレスに一致するアドレスデータとを含む伝送信号を、前記信号線を介して前記画像センサに伝送するように構成され、
前記画像センサは、前記変更データに基づいて前記検知領域を変更するように構成されていることを特徴とする請求項１乃至３の何れか１項に記載の負荷制御システム。
【請求項５】
前記表示部は、タッチパネルにより構成され、
前記変更部は、前記タッチパネルが受け付ける操作入力に基づいて前記変更データを生成するように構成されていることを特徴とする請求項４記載の負荷制御システム。
【請求項６】
前記表示端末は、前記検知領域を前記表示部に表示する第１モードと、前記画像センサの検知結果を前記表示部に表示する第２モードとを操作入力に基づいて切り替える切替部を備えることを特徴とする請求項１乃至５の何れか１項に記載の負荷制御システム。
【請求項７】
負荷が接続されて前記負荷を制御する制御端末を備え、
前記画像センサは、前記画像センサの検知結果を示す監視データを含む伝送信号を、前記信号線を介して前記伝送制御装置に伝送するように構成され、
前記伝送制御装置は、前記画像センサから伝送された前記監視データに基づいて、前記画像センサと対応する前記制御端末に接続された前記負荷を制御する制御データを生成し、且つ前記制御データと、前記制御端末のアドレスに一致するアドレスデータとを含む伝送信号を、前記信号線を介して前記制御端末に伝送するように構成され、
前記制御端末は、前記制御データに基づいて前記負荷を制御するように構成されていることを特徴とする請求項１乃至６の何れか１項に記載の負荷制御システム。
【発明の詳細な説明】
【技術分野】
【０００１】
本発明は、一般に負荷制御システム、より詳細には検知領域内の人の存否を検知する画像センサを備えた負荷制御システムに関する。
【背景技術】
【０００２】
従来、検知領域内の人の存否を検知する人センサ（画像センサ）を備えた負荷制御システムが知られており、例えば特許文献１に開示されている。特許文献１に記載の負荷制御システムは、画像センサと、制御装置と、複数の照明負荷とで構成されている。画像センサは、検知領域の画像を複数の領域に分割して領域ごとに人の存否及び存在する人数などを判断する。また、画像センサでは、設定部によって複数の分割領域の位置情報が設定される。制御装置は、画像センサから伝送線を介して伝送される人検知情報に応じて各照明負荷に対する制御指令を生成し、生成した制御指令を信号線を介して各照明負荷に伝送する。照明負荷は、白熱灯や蛍光ランプ、あるいはＬＥＤランプなどの光源と、制御指令に応じて光源を点灯・消灯及び調光する点灯装置とを有する。
【０００３】
そして、制御装置では、画像センサから伝送される分割領域ごとの人検知情報及び明るさレベルに応じて、各分割領域に対応する照明負荷を制御する。
【先行技術文献】
【特許文献】
【０００４】
【特許文献１】特開２０１３−０９６９４７号公報
【発明の概要】
【発明が解決しようとする課題】
【０００５】
上記従来例では、画像センサの検知領域は、画像センサに設けられたスイッチや、専用の設定器を用いて施工業者が設定していた。そして、上記従来例では、設定器でなければ設定した検知領域を確認することができなかった。このため、上記従来例では、設定した検知領域を確認するためには、その度に設定器を用意しなければならず、検知領域の確認作業が煩雑になるという問題があった。
【０００６】
本発明は、上記の点に鑑みて為されており、ユーザが画像センサの検知領域を容易に確認することのできる負荷制御システムを提供することを目的とする。
【課題を解決するための手段】
【０００７】
本発明の負荷制御システムは、検知対象の空間を撮像し且つ撮像した画像のうち予め設定された検知領域内の人の存否を検知する画像センサと、前記検知領域を表示する表示部を有する表示端末と、前記画像センサ及び前記表示端末が２線式の信号線を介して接続される伝送制御装置とを備え、前記画像センサは、前記検知領域を示す領域データを含む伝送信号を、前記信号線を介して前記伝送制御装置に伝送するように構成され、前記伝送制御装置は、前記画像センサから伝送された前記領域データと、前記表示端末のアドレスに一致するアドレスデータとを含む伝送信号を、前記信号線を介して前記表示端末に伝送するように構成され、前記表示端末は、前記領域データに基づいて前記検知領域を前記表示部に表示するように構成されていることを特徴とする。
【０００８】
この負荷制御システムにおいて、前記表示端末は、前記表示部に前記検知領域を段階的に表示するように構成されていることが好ましい。
【０００９】
この負荷制御システムにおいて、前記表示端末は、前記表示部に前記検知領域をマトリクス状に表示するように構成されていることが好ましい。
【００１０】
この負荷制御システムにおいて、前記表示端末は、操作入力に基づいて前記検知領域の変更を指示する変更データを生成する変更部を備え、前記表示端末は、前記変更データを含む伝送信号を、前記信号線を介して前記伝送制御装置に伝送するように構成され、前記伝送制御装置は、前記表示端末から伝送された前記変更データと、前記画像センサのアドレスに一致するアドレスデータとを含む伝送信号を、前記信号線を介して前記画像センサに伝送するように構成され、前記画像センサは、前記変更データに基づいて前記検知領域を変更するように構成されていることが好ましい。
【００１１】
この負荷制御システムにおいて、前記表示部は、タッチパネルにより構成され、前記変更部は、前記タッチパネルが受け付ける操作入力に基づいて前記変更データを生成するように構成されていることが好ましい。
【００１２】
この負荷制御システムにおいて、前記表示端末は、前記検知領域を前記表示部に表示する第１モードと、前記画像センサの検知結果を前記表示部に表示する第２モードとを操作入力に基づいて切り替える切替部を備えることが好ましい。
【００１３】
この負荷制御システムにおいて、負荷が接続されて前記負荷を制御する制御端末を備え、前記画像センサは、前記画像センサの検知結果を示す監視データを含む伝送信号を、前記信号線を介して前記伝送制御装置に伝送するように構成され、前記伝送制御装置は、前記画像センサから伝送された前記監視データに基づいて、前記画像センサと対応する前記制御端末に接続された前記負荷を制御する制御データを生成し、且つ前記制御データと、前記制御端末のアドレスに一致するアドレスデータとを含む伝送信号を、前記信号線を介して前記制御端末に伝送するように構成され、前記制御端末は、前記制御データに基づいて前記負荷を制御するように構成されていることが好ましい。
【発明の効果】
【００１４】
本発明では、表示端末が、画像センサから伝送される領域データに基づいて検知領域を表示部に表示するように構成されている。したがって、本発明は、ユーザが表示端末を見るだけで検知領域を確認することができるので、画像センサの検知領域を容易に確認することができる。
【図面の簡単な説明】
【００１５】
【図１】本発明の実施形態に係る負荷制御システムの概略構成図である。
【図２】本発明の実施形態に係る負荷制御システムにおける画像センサのブロック図である。
【図３】本発明の実施形態に係る負荷制御システムにおける制御端末のブロック図である。
【図４】本発明の実施形態に係る負荷制御システムにおける表示端末のブロック図である。
【図５】図５Ａ〜図５Ｃは、本発明の実施形態に係る負荷制御システムにおける表示部の一例を示す図である。
【図６】本発明の実施形態に係る負荷制御システムにおける伝送制御装置のブロック図である。
【図７】図７Ａは、本発明の実施形態に係る負荷制御システムの伝送信号のフォーマットを示す図で、図７Ｂは、本発明の実施形態に係る負荷制御システムの伝送信号の波形図で、図７Ｃは、本発明の実施形態に係る負荷制御システムの割込信号の波形図である。
【図８】図８Ａは、設定器のブロック図で、図８Ｂは、本発明の実施形態に係る負荷制御システムにおける検知領域の説明図である。
【図９】図９Ａ〜図９Ｃは、本発明の実施形態に係る負荷制御システムにおける検知領域の一例を示す図である。
【図１０】図１０Ａは、本発明の実施形態に係る負荷制御システムにおける表示端末の他の構成を示す概略構成図で、図１０Ｂは、表示端末の他の構成のブロック図である。
【図１１】本発明の実施形態に係る負荷制御システムにおける表示端末の更に他の構成の概略構成図である。
【発明を実施するための形態】
【００１６】
本発明の実施形態に係る負荷制御システム１は、図１に示すように、画像センサ２と、表示端末４と、伝送制御装置５とを備えている。画像センサ２は、検知対象の空間を撮像し且つ撮像した画像のうち予め設定された検知領域１０内の人Ｈ１の存否を検知する。表示端末４は、検知領域１０を表示する表示部４５を有する。伝送制御装置５は、画像センサ２及び表示端末４が２線式の信号線Ｌ１を介して接続される。
【００１７】
画像センサ２は、検知領域１０を示す領域データを含む伝送信号Ｓ１を、信号線Ｌ１を介して伝送制御装置５に伝送するように構成されている。また、伝送制御装置５は、画像センサ２から伝送された領域データと、表示端末４のアドレスに一致するアドレスデータＡＤとを含む伝送信号Ｓ１を、信号線Ｌ１を介して表示端末４に伝送するように構成されている。そして、表示端末４は、領域データに基づいて検知領域１０を表示部４５に表示するように構成されている。
【００１８】
したがって、本実施形態の負荷制御システム１は、ユーザが表示端末４を見るだけで画像センサ２の検知領域１０を確認することができるので、画像センサ２の検知領域１０を容易に確認することができる。
【００１９】
以下、本実施形態の負荷制御システム１について図面を用いて詳細に説明する。但し、以下に説明する構成は、本発明の一例に過ぎず、本発明は下記の実施形態に限定されることはなく、この実施形態以外であっても、本発明に係る技術的思想を逸脱しない範囲であれば、設計等に応じて種々の変更が可能である。
【００２０】
本実施形態の負荷制御システム１は、図１に示すように、画像センサ２と、負荷を制御する制御端末３と、表示端末４と、伝送制御装置５と、複数（図１では４つ）のリレー６と、リモコントランス７とを備えている。また、本実施形態の負荷制御システム１では、制御端末３、伝送制御装置５、リレー６、リモコントランス７を分電盤（またはリレー制御盤）８の内部に配置しているが、この構成に限定する趣旨ではない。
【００２１】
伝送制御装置５は、図１に示すように、３つの端子（２つの電源用端子及び１つのアース用端子）５６と、２つの信号用端子５７とを備えている。伝送制御装置５は、これら端子５６に接続される例えば単相３線の電線（図示せず）を介して交流電源（図示せず）に接続されている。また、伝送制御装置５は、２つの信号用端子５７に２線式の信号線Ｌ１が接続されている。画像センサ２、制御端末３及び表示端末４は、それぞれ信号線Ｌ１に接続するための端子を備えている。また、画像センサ２、制御端末３及び表示端末４は、それぞれ信号線Ｌ１に送り配線されている。なお、本実施形態の負荷制御システム１では、画像センサ２、制御端末３及び表示端末４をそれぞれ１台ずつ備える構成であるが、それぞれ複数台ずつ備える構成であってもよい。
【００２２】
画像センサ２は、例えばオフィスなどの天井に設置される。画像センサ２は、検知対象となる空間を撮像し、連続的に生成した撮像画像から検知領域１０（図７Ｂ参照）内の人Ｈ１の存否を検知する。なお、制御端末３が制御する負荷が照明負荷である場合、検知領域１０を、照明負荷による照明空間に設定するのが好ましい。画像センサ２は、図２に示すように、信号処理部２１と、送受信部２２と、電源部２３と、アドレス設定部２４と、撮像部２５と、画像処理部２６と、設定部２７と、記憶部２８とを備えている。
【００２３】
信号処理部２１は、例えばマイクロコンピュータで構成され、送受信部２２を介して信号線Ｌ１に接続されている。信号処理部２１を構成するマイクロコンピュータには、適宜のプログラムが搭載されている。送受信部２２は、信号線Ｌ１を介して伝送される双極性の伝送信号Ｓ１を無極性化（つまり、全波整流）して受信し、受信した信号を信号処理部２１に与えるように構成されている。また、信号処理部２１から伝送制御装置５に返送される信号は、送受信部２２において電流モード信号に変換されて信号線Ｌ１に送出される。なお、電流モード信号は、信号線Ｌ１を適当な低インピーダンスを介して短絡することにより送出される信号である。電源部２３は、信号線Ｌ１を介して伝送される伝送信号Ｓ１から画像センサ２の内部電源を得るように構成されている。アドレス設定部２４は、例えば不揮発性メモリ等により構成され、画像センサ２に固有のアドレスを設定し、記憶するために用いられる。
【００２４】
撮像部２５は、撮像素子（図示せず）と、アナログの出力信号をディジタルの画像信号（画像データ）に変換して出力するＡ／Ｄ変換器（図示せず）とを備えている。撮像素子は、それぞれが各別の画素を構成する複数の受光部（センサ部）が２次元のマトリクス状に配列されて構成されている。撮像素子としては、ＣＭＯＳ（Complementary MOS）イメージセンサを用いているが、これに限らず、例えば、ＣＣＤ（Charge Coupled Device）イメージセンサ等を採用してもよい。低消費電力化の観点からは、撮像素子として、ＣＣＤイメージセンサよりもＣＭＯＳイメージセンサを用いるのが好ましい。また、撮像部２５は、レンズ（図示せず）を備えている。レンズは、例えば、各受光部の視野を調整するために設けられる。
【００２５】
画像処理部２６は、例えばマイクロコンピュータあるいはＤＳＰ（Digital Signal Processor）などで構成される。画像処理部２６は、撮像部２５から取り込む画像データに対して種々の画像処理を実行し、且つ画像処理の結果を利用して人Ｈ１の存否などを判断する判断処理を実行する。設定部２７は、外部の設定器Ａ１（図１参照）から種々の情報を取り込むためのインタフェースを構成し、設定器Ａ１との間で無線通信を行うように構成されている。
【００２６】
記憶部２８は、書き換え可能な不揮発性メモリにより構成されている。不揮発性メモリとしては、例えば、フラッシュメモリ等を採用することができる。記憶部２８は、画像処理部２６における画像処理及び判断処理に必要な種々の情報を記憶している。記憶部２８は、例えば、検知領域１０に人Ｈ１が存在しない状況で撮像された検知領域１０の画像データを、背景画像データとして記憶する。
【００２７】
画像処理部２６は、撮像部２５から順次出力される画像データと背景画像データとの差分である差分画像を生成し、その差分画像から人Ｈ１の輪郭や人Ｈ１の領域に対応した画素領域（以下、「人体画素領域」と呼ぶ）の抽出処理を行う。そして、画像処理部２６は、抽出処理において人体画素領域を抽出すれば、人Ｈ１が存在すると判断する。差分画像は、画像データと背景画像データとの間で対応する画素ごとの差分を画素値とする画像である。画像処理部２６は、画像データと背景画像データとから差分画像を生成する代わりに、時系列的に並ぶ２つのフレームの画像から差分画像を生成するようにしてもよい。なお、本実施形態の画像センサ２では、撮像部２５は１秒間に３０フレームの画像を出力するが、撮像部２５が撮像する時間間隔を限定する趣旨ではない。
【００２８】
また、画像処理部２６は、人体画素領域における代表位置を求め、当該代表位置が所定時間（所定のフレーム数）内に変位する距離を閾値と比較することで人Ｈ１の行動（滞在、移動等）を判断する。つまり、画像処理部２６は、当該距離が閾値未満の場合、人Ｈ１が同じ場所に滞在していると判断し、当該距離が閾値以上の場合、人Ｈ１が移動していると判断する。ただし、代表位置とは、人体画素領域の重心位置や人Ｈ１の特定の部位（例えば、頭部）の位置である。なお、画像処理部２６は、２つのフレームの画像から差分画像を生成する場合、人Ｈ１が静止して滞在していると、人体画素領域が抽出できない可能性がある。一方、画像処理部２６は、画像データと背景画像データとから差分画像を生成する場合、人Ｈ１が静止して滞在していても、人体画素領域の抽出が可能である。さらに、画像処理部２６は、抽出した人体画素領域の数を検知領域１０に存在する人Ｈ１の数と判断する。
【００２９】
このように、本実施形態の負荷制御システム１では、焦電型赤外線センサの代わりに画像センサ２を用いているので、検知領域１０内の人Ｈ１の存否だけではなく、人Ｈ１の行動（滞在、移動等）を検知することができる。そして、信号処理部２１は、画像処理部２６の判断結果に基づいて、画像センサ２の検知結果を示す監視データを生成し、監視データを送受信部２２から信号線Ｌ１に送出する。
【００３０】
制御端末３は、例えば照明負荷などの負荷（図示せず）が接続され、当該負荷を制御するように構成されている。制御端末３は、図３に示すように、信号処理部３１と、送受信部３２と、アドレス設定部３３とを備えている。
【００３１】
信号処理部３１は、例えばマイクロコンピュータで構成され、送受信部３２を介して信号線Ｌ１に接続されている。信号処理部３１を構成するマイクロコンピュータには適宜のプログラムが搭載されている。送受信部３２は、信号線Ｌ１を介して伝送される双極性の伝送信号Ｓ１を無極性化して受信し、受信した信号を信号処理部３１に与えるように構成されている。また、信号処理部３１から伝送制御装置５に返送される信号は、送受信部３２において電流モード信号に変換されて信号線Ｌ１に送出される。アドレス設定部３３は、例えば不揮発性メモリ等により構成され、制御端末３に固有のアドレスを設定し、記憶するために用いられる。
【００３２】
制御端末３は、複数（図１では４つ）のリレー６を接続できるように構成されている。そして、制御端末３は、これらのリレー６を各別に駆動する複数（図３では４つ）の駆動部３４を備えている。リレー６は、例えばラッチング型のリレーにより構成され、商用電源などの交流電源と負荷との直列回路に接続されている。したがって、制御端末３は、駆動部３４によりリレー６を制御することで、交流電源と負荷とを繋ぐ給電路を開閉し、負荷のオン／オフを切り替える。なお、制御端末３がリレー６を制御する際には、リモコントランス７からリレー６にパルス的に電源を供給する。リモコントランス７は、交流電源に接続されており、１００Ｖの交流電圧を変圧してリレー６及び制御端末３に２４Ｖの交流電圧を供給するように構成されている。
【００３３】
制御端末３には、リレー６を個別に認識するために２ビットの負荷番号が付加されている。以下では、制御端末３のチャンネルと負荷番号とをまとめてアドレスと呼ぶことにする。つまり、本実施形態の負荷制御システム１では、各リレー６にそれぞれ個別のアドレスが付与されている。また、負荷制御システム１は、互いに一対一に対応する画像センサ２と制御端末３とを同チャンネルに設定することにより、対応関係をわかりやすくしてある。したがって、制御端末３は、アドレスデータＡＤ（図７Ａ参照）に含まれる負荷番号が一致するリレー６を制御することで、対応する負荷のオン／オフを切り替える。
【００３４】
なお、制御端末３としては、調光制御用の端末を用いてもよい。調光制御用の端末としては、例えば、調光データを生成する機能を有する端末を採用することができる。この場合、負荷としては、ＬＥＤ（Light Emission Diode）を用いた光源と、調光データに基づいて光源を調光点灯させることが可能な点灯装置とを備えた、ＬＥＤ照明器具を採用することができる。
【００３５】
表示端末４は、オフィスなどの壁面に配置される。表示端末４は、図４に示すように、信号処理部４１と、送受信部４２と、電源部４３と、アドレス設定部４４と、表示部４５とを備えている。
【００３６】
信号処理部４１は、例えばマイクロコンピュータで構成され、送受信部４２を介して信号線Ｌ１に接続されている。信号処理部４１を構成するマイクロコンピュータには適宜のプログラムが搭載されている。送受信部４２は、信号線Ｌ１を介して伝送される双極性の伝送信号Ｓ１を無極性化して受信し、受信した信号を信号処理部４１に与えるように構成されている。また、信号処理部４１から伝送制御装置５に返送される信号は、送受信部４２において電流モード信号に変換されて信号線Ｌ１に送出される。電源部４３は、信号線Ｌ１を介して伝送される伝送信号Ｓ１から表示端末４の内部電源を得るように構成されている。アドレス設定部４４は、例えば不揮発性メモリ等により構成され、表示端末４に固有のアドレスを設定し、記憶するために用いられる。
【００３７】
表示部４５は、画像センサ２の検知領域１０を表示するように構成されている。本実施形態の負荷制御システム１では、表示部４５は、図５Ａ〜図５Ｃに示すように、複数（ここでは３つ）の透光部４５０と、複数（ここでは３つ）の発光素子（図示せず）とを備えている。各透光部４５０は、透光性を有する材料（例えば、アクリル樹脂やポリカーボネート樹脂など）により構成され、一方向（図５Ａにおける上下方向）に沿って並ぶように設けられている。各発光素子は、例えばＬＥＤや有機ＥＬ（electroluminescence）素子により構成され、表示端末４の器体の内部において、各透光部４５０とそれぞれ対向する形で設けられている。なお、図５Ａ〜図５Ｃでは、ハッチングを施している透光部４５０が発光素子の発する光を出射している。
【００３８】
伝送制御装置５は、信号線Ｌ１を介して、画像センサ２、制御端末３及び表示端末４の各々との間でアドレスデータを含む伝送信号Ｓ１（図７Ａ〜図７Ｃ参照）を伝送するように構成されている。伝送制御装置５は、図６に示すように、伝送処理部５１と、伝送ドライバ５２と、第１メモリ５３と、第２メモリ５４とを備える。
【００３９】
伝送処理部５１は、例えばマイクロプロセッサで構成され、伝送ドライバ５２を介して信号線Ｌ１に接続されている。伝送処理部５１は、制御データを作成したり、画像センサ２、制御端末３及び表示端末４の状態を監視したりするように構成されている。伝送ドライバ５２は、伝送処理部５１の制御に基づいて、信号線Ｌ１を介して画像センサ２、制御端末３及び表示端末４との信号の授受を行うように構成されている。第１メモリ５３は、例えばＲＯＭ（Read Only Memory）により構成され、伝送処理部５１の動作を規定するプログラムを格納する。第２メモリ５４は、例えばＥＥＰＲＯＭ（Electrically Erasable Programmable Read Only Memory）等の不揮発性メモリにより構成されている。第２メモリ５４は、が画像センサ２と制御端末３と表示端末４との対応関係をテーブル形式で格納する。第３メモリ５５は、例えばＲＡＭ（Random Access Memory）により構成され、画像センサ２、制御端末３及び表示端末４との間で授受するデータ等を格納する。
【００４０】
本実施形態の負荷制御システム１では、画像センサ２、制御端末３及び表示端末４のそれぞれに固有のアドレスが設定されている。そして、伝送制御装置５は、画像センサ２のアドレスと、制御端末３のアドレスと、表示端末４のアドレスとの対応関係を管理している。伝送制御装置５は、それらのアドレスに基づいて画像センサ２、制御端末３及び表示端末４を個別に認識する。
【００４１】
ここで、伝送信号Ｓ１のフォーマットを図７Ａに示す。伝送信号Ｓ１は、スタートパルス信号ＳＹ、モードデータＭＤ、アドレスデータＡＤ、制御データＣＤ、チェックサムデータＣＳ及び信号返送期間ＷＴより構成される。スタートパルス信号ＳＹは、信号送出開始を示す信号である。モードデータＭＤは、伝送信号Ｓ１のモードを示すデータである。アドレスデータＡＤは、画像センサ２、制御端末３及び表示端末４を各別に呼び出すためのデータである。制御データＣＤは、制御端末３及び表示端末４、並びにリレー６や負荷を制御するためのデータである。チェックサムデータは、伝送誤りを検出するためのデータである。信号返送期間ＷＴは、画像センサ２、制御端末３及び表示端末４からの返送信号を受信するタイムスロットである。伝送信号Ｓ１は、双極性（±２４Ｖ）の時分割多重信号であり、パルス幅変調によってデータが伝送されるようになっている（図７Ｂ参照）。
【００４２】
以下、伝送制御装置５の動作について説明する。伝送制御装置５は、画像センサ２、制御端末３及び表示端末４の何れかの機器にデータを伝送する場合、モードデータＭＤを制御モードとし、所望の機器のアドレスをアドレスデータＡＤとする伝送信号Ｓ１を送出する。そして、アドレスデータＡＤに一致するアドレスを有する機器は、制御データＣＤを受け取り、信号返送期間ＷＴに監視データを返送する。伝送制御装置５は、送出した制御データＣＤと信号返送期間ＷＴに受信した監視データとの関係によって、制御データＣＤが所望の機器に伝送されたことを確認する。
【００４３】
また、伝送制御装置５は、通常時には、モードデータＭＤをダミーモードとした伝送信号Ｓ１を一定時間間隔で送出している（つまり、ポーリングを行っている）。画像センサ２、制御端末３及び表示端末４の何れかの機器は、伝送制御装置５に対してデータを伝送しようとする場合、ダミーモードの伝送信号Ｓ１のスタートパルス信号ＳＹに同期させて、図７Ｃに示すような割込信号を発生させる。このとき、割込信号を発生した機器は、割込フラグを設定して伝送制御装置５との以後の情報の授受に備える。
【００４４】
伝送制御装置５は、割込信号を受信すると、モードデータＭＤを割込ポーリングモードとし且つアドレスデータＡＤの上位の半数のビット（アドレスデータＡＤを８ビットとすれば上位４ビット）を順次増加させながら伝送信号Ｓ１を送出する。割込信号を発生した機器は、伝送信号Ｓ１のアドレスデータＡＤの上位４ビットが自己のアドレスの上位４ビットに一致するときに、信号返送期間ＷＴにアドレスの下位の半数のビットを伝送制御装置５に返送する。これにより、伝送制御装置５は、割込信号を発生した機器を認識することができる。
【００４５】
伝送制御装置５は、割込信号を発生した機器のアドレスを取得すると、モードデータＭＤを監視モードとし、取得したアドレスデータＡＤを持つ伝送信号Ｓ１を信号線Ｌ１に送出する。そして、割込信号を発生した機器は、この伝送信号Ｓ１に対して、伝送しようとする情報（例えば、監視データ）を信号返送期間ＷＴに返送する。
【００４６】
最後に、伝送制御装置５は、割込信号を発生した機器に対して割込リセットを指示する信号を送出し、画像センサ２の割込フラグを解除する。以上のようにして、画像センサ２、制御端末３及び表示端末４の何れかの機器から伝送制御装置５へのデータの伝送が行われる。
【００４７】
ここで、画像センサ２の撮像領域Ｘ１（図８Ｂ参照）内において、人Ｈ１が存在し得ない場所（例えば、机や書架、複写機などの備品が設置されている場所）が含まれることがある。このような人Ｈ１が存在し得ない場所は、人Ｈ１の存在の誤検知による負荷の誤動作を回避するために、検知対象に含めないのが好ましい。つまり、画像センサ２の撮像領域Ｘ１のうち、人Ｈ１が存在し得る領域を検知領域１０に設定することで、人Ｈ１の存在の誤検知を低減することができる。
【００４８】
以下、検知領域１０について説明する。本実施形態の負荷制御システム１では、図８Ｂに示すように、撮像領域Ｘ１内には、マトリクス状に区切られた６×６（＝３６個）のブロックＹ１１〜Ｙ６６が設定されている。そして、ブロックＹ１１〜Ｙ６６のうち、中心の４個のブロックＹ３３，Ｙ３４，Ｙ４３，Ｙ４４を除いた３２個のブロックには、検知の有効／無効が設定される。なお、中心の４個のブロックＹ３３，Ｙ３４，Ｙ４３，Ｙ４４は、常に検知が有効に設定されている。図８Ｂでは、有効に設定されたブロック（以下、「有効ブロック」と呼ぶ）を黒色のドットを含むブロックで表現し、無効に設定されたブロック（以下、「無効ブロック」と呼ぶ）を白色のブロックで表現している。そして、有効ブロックの集合が検知領域１０に相当する。なお、各ブロックは、それぞれ撮像素子の複数個（例えば、３×３＝９個）の画素（ピクセル）で構成されている。
【００４９】
検知領域１０の設定は、通常、施工業者が専用の設定器Ａ１を用いて行う。設定器Ａ１は、図８Ａに示すように、処理部Ａ１０と、第１メモリＡ１１と、第２メモリＡ１２と、操作部Ａ１３と、表示部Ａ１４と、通信部Ａ１５とを備えている。処理部Ａ１０は、例えばマイクロプロセッサで構成され、画像センサ２の検知領域１０を設定する処理を実行する。第１メモリＡ１１は、例えばＲＯＭにより構成され、処理部Ａ１０の動作を規定するプログラムを格納する。第２メモリＡ１２は、例えばＲＡＭにより構成され、処理部Ａ１０がプログラムを実行する際に、種々のデータを一時的に保存する。操作部Ａ１３は、複数個のスイッチ（例えば、押釦スイッチ）を有し、スイッチが操作されたときに当該スイッチに対応した操作信号を処理部Ａ１０に出力するように構成されている。表示部Ａ１４は、液晶ディスプレイ（図示せず）と、処理部Ａ１０に制御されて液晶ディスプレイに種々の記号や文字、図形などを表示するドライバ（図示せず）とを備えている。通信部Ａ１５は、画像センサ２の設定部２７との間で無線通信を行うように構成されている。
【００５０】
以下、検知領域１０の設定について説明する。先ず、施工業者は、設定器Ａ１の操作部Ａ１３を操作することで、検知領域１０を示す領域データを要求するコマンドを画像センサ２に送信する。画像センサ２は、コマンドを受信すると、記憶部２８から領域データを読み出して設定器Ａ１に送信する。設定器Ａ１は、領域データを受信すると、領域データに基づいて表示部Ａ１４にブロックＹ１１〜Ｙ６６を表示する。施工業者は、表示部Ａ１４に表示されたブロックＹ１１〜Ｙ６６を確認しながら、操作部Ａ１３を操作することでブロックＹ１１〜Ｙ６６のうち設定対象となるブロックを１つ選択し、有効又は無効に設定する。施工業者は、この作業を繰り返すことで検知領域１０を設定した後に、操作部Ａ１３を操作して検知領域１０の設定を完了する。
【００５１】
設定器Ａ１は、ブロックＹ１１〜Ｙ６６の有効又は無効を設定する毎に、若しくは検知領域１０の設定が完了した時点で、更新した領域データを画像センサ２に送信する。画像センサ２は、更新した領域データを受信すると、記憶部２８に記憶されている既存の領域データを受信した領域データに書き換える。このようにして、画像センサ２の検知領域１０は、設定器Ａ１で設定した領域データに基づいて更新される。
【００５２】
なお、検知領域１０は、施工業者が設定器Ａ１の操作部Ａ１３を操作し、予め規定された複数種類のパターンから１つのパターンを選択することで設定してもよい。例えば、図９Ａ〜図９Ｃに示すような３つのパターンから１つのパターンを選択して、検知領域１０を設定することが考えられる。図９Ａに示すパターンは、ブロックＹ１１〜Ｙ６６のうち２×２＝４個のブロックを検知領域１０としている。図９Ｂに示すパターンは、ブロックＹ１１〜Ｙ６６のうち４×４＝１６個のブロックを検知領域１０としている。図９Ｃに示すパターンは、ブロックＹ１１〜Ｙ６６の全てを検知領域１０としている。勿論、検知領域１０のパターンは図９Ａ〜図９Ｃに示すパターンに限定されず、その他の種々のパターンであってもよい。
【００５３】
ここで、従来の負荷制御システムでは、画像センサ２の検知領域１０を確認するためには、設定器Ａ１を用いて確認しなければならなかった。このため、検知領域１０を確認する度に設定器Ａ１を用意しなければならず、検知領域１０の確認作業が煩雑になるという問題があった。また、設定器Ａ１は、通常、施工業者が所有しているため、ユーザが検知領域１０を確認するためには、施工業者に連絡しなければならないという問題もある。
【００５４】
そこで、本実施形態の負荷制御システム１では、２線式の信号線Ｌ１に接続される表示端末４を設け、この表示端末４に画像センサ２の検知領域１０を表示する表示部４５を設けている。
【００５５】
以下、表示部４５に検知領域１０を表示する処理について説明する。画像センサ２は、領域データを更新すると、割込信号を発生させる。伝送制御装置５は、割込ポーリングモードにおいて画像センサ２を認識すると、監視モードにおいて画像センサ２のアドレスデータＡＤを持つ伝送信号Ｓ１を信号線Ｌ１に送出する。画像センサ２は、この伝送信号Ｓ１に対して、領域データを信号返送期間ＷＴに返送する。つまり、画像センサ２は、検知領域１０を示す領域データを含む伝送信号Ｓ１を、信号線Ｌ１を介して伝送制御装置５に伝送するように構成されている。
【００５６】
次に、領域データを取得した伝送制御装置５は、制御モードにおいて、制御データＣＤに領域データを、アドレスデータＡＤに表示端末４のアドレスを格納した伝送信号Ｓ１を送出する。つまり、伝送制御装置５は、画像センサ２から伝送された領域データと、表示端末４のアドレスに一致するアドレスデータＡＤとを含む伝送信号Ｓ１を、信号線Ｌ１を介して表示端末４に伝送するように構成されている。そして、表示端末４は、この伝送信号Ｓ１を受信すると、領域データに基づいて検知領域１０を表示部４５に表示する。
【００５７】
例えば、検知領域１０が図９Ａに示すパターンの場合、表示端末４は、図５Ａに示すように、同図における下側の透光部４５０に対応する発光素子を点灯する。また、検知領域１０が図９Ｂに示すパターンの場合、表示端末４は、図５Ｂに示すように、同図における下側の透光部４５０と、真ん中の透光部４５０とに各々対応する発光素子を点灯する。また、検知領域１０が図９Ｃに示すパターンの場合、表示端末４は、図５Ｃに示すように、全ての透光部４５０に各々対応する発光素子を点灯する。このように、表示端末４は、表示部４５に検知領域１０を段階的に表示する。
【００５８】
上述のように、本実施形態の負荷制御システム１は、画像センサ２で設定した検知領域１０を示す領域データが、伝送制御装置５を介して表示端末４に伝送されるように構成されている。そして、表示端末４が、領域データに基づいて検知領域１０を表示部４５に表示するように構成されている。したがって、本実施形態の負荷制御システム１では、ユーザが表示端末４を見るだけで画像センサ２の検知領域１０を確認することができる。つまり、本実施形態の負荷制御システム１は、ユーザが画像センサ２の検知領域１０を容易に確認することができる。
【００５９】
なお、本実施形態の負荷制御システム１では、上述のように、表示端末４が表示部４５に検知領域１０を段階的に表示するように構成されているが、当該構成を採用するか否かは任意である。
【００６０】
また、表示部４５は、図５Ａ〜図５Ｃの構成に限定されず、例えば液晶ディスプレイや有機ＥＬディスプレイなどで構成してもよい。この構成では、表示端末４は、例えば図８Ｂに示すようなブロックＹ１１〜Ｙ６６で表される検知領域１０を表示部４５に表示することができるので好ましい。つまり、表示端末４は、表示部４５に検知領域１０をマトリクス状に表示するように構成されていてもよい。なお、当該構成を採用するか否かは任意である。また、検知領域１０を表すブロック数は６×６に限定されず、更に少数又は多数のブロックで検知領域１０を表してもよい。
【００６１】
なお、表示端末４は、例えば図１０Ａ，図１０Ｂに示すように、操作入力に基づいて検知領域１０の変更を指示する変更データを生成する変更部４６を備えていてもよい。図１０Ａに示す例では、変更部４６は、２つのスイッチ４６０，４６１で構成されている。スイッチ４６０は、検知領域１０を広げることを指示するためのスイッチ（例えば、押釦スイッチ）であり、スイッチが操作されたときに当該スイッチに対応した操作信号を信号処理部４１に出力するように構成されている。スイッチ４６１は、検知領域１０を狭めることを指示するためのスイッチ（例えば、押釦スイッチ）であり、スイッチが操作されたときに当該スイッチに対応した操作信号を信号処理部４１に出力するように構成されている。また、図１０Ａに示す例では、表示部４５は図５Ａ〜図５Ｃに示す構成と同じである。
【００６２】
以下、表示端末４で検知領域１０を変更する処理について説明する。ここでは、検知領域１０が図９Ｂに示すパターンに予め設定されていると仮定する。先ず、ユーザは、変更部４６を操作することで、表示部４５に表示されている検知領域１０を変更する。このとき、変更部４６は、検知領域１０の変更を指示する変更データを生成する。例えば、ユーザがスイッチ４６０を操作すると、表示部４５に表示されている検知領域１０が、図９Ｂに示すパターンから図９Ｃに示すパターンに変更される。そして、変更部４６は、検知領域１０を図９Ｃに示すパターンに変更するように指示する変更データを生成する。また、ユーザがスイッチ４６１を操作すると、表示部４５に表示されている検知領域１０が、図９Ｂに示すパターンから図９Ａに示すパターンに変更される。そして、変更部４６は、検知領域１０を図９Ａに示すパターンに変更するように指示する変更データを生成する。
【００６３】
表示端末４は、変更部４６が操作されると、割込信号を発生させる。伝送制御装置５は、割込ポーリングモードにおいて表示端末４を認識すると、監視モードにおいて表示端末４のアドレスデータＡＤを持つ伝送信号Ｓ１を信号線Ｌ１に送出する。表示端末４は、この伝送信号Ｓ１に対して、変更データを信号返送期間ＷＴに返送する。つまり、表示端末４は、変更データを含む伝送信号Ｓ１を、信号線Ｌ１を介して伝送制御装置５に伝送するように構成されている。
【００６４】
次に、変更データを取得した伝送制御装置５は、制御モードにおいて、制御データＣＤに変更データを、アドレスデータＡＤに画像センサ２のアドレスを格納した伝送信号Ｓ１を送出する。つまり、伝送制御装置５は、表示端末４から伝送された変更データと、画像センサ２のアドレスに一致するアドレスデータＡＤとを含む伝送信号Ｓ１を、信号線Ｌ１を介して画像センサ２に伝送するように構成されている。そして、画像センサ２は、この伝送信号Ｓ１を受信すると、変更データに基づいて検知領域１０を変更する。
【００６５】
この構成では、ユーザは表示端末４で検知領域１０を確認するのみならず、設定器Ａ１を用いることなく検知領域１０を変更することもできる。なお、当該構成を採用するか否かは任意である。なお、ユーザが変更部４６に誤って触れて検知領域１０を変更してしまうのを防ぐために、変更部４６の操作の有効又は無効を切り替えるスイッチを設けてもよい。このように構成すれば、当該スイッチを操作して変更部４６の操作が有効にならない限り、検知領域１０が誤って変更されることがないので好ましい。
【００６６】
また、図１１に示すように、表示部４５は、タッチパネルＴＰ１により構成してもよい。そして、変更部４６は、タッチパネルＴＰ１が受け付ける操作入力に基づいて変更データを生成するように構成してもよい。タッチパネルＴＰ１は、例えば抵抗膜方式や静電容量方式などの方式で、ブロックＹ１１〜Ｙ６６を表示するように構成されている。ユーザは、ブロックＹ１１〜Ｙ６６の何れかのブロックを１つ選択して触れることで、選択したブロックを有効ブロック又は無効ブロックに設定することができる。このとき、変更部４６は、検知領域１０の変更を指示する変更データを生成する。そして、上記の処理と同様に、変更データが画像センサ２に伝送されるので、画像センサ２が変更データに基づいて検知領域１０を変更する。この構成では、ユーザが検知領域１０を直感的に変更することができるので、好ましい。
【００６７】
また、表示端末４は、図１０Ａ，図１０Ｂに示すように、検知領域１０を表示部４５に表示する第１モードと、画像センサ２の検知結果を表示部４５に表示する第２モードとを操作入力に基づいて切り替える切替部４７を備えていてもよい。切替部４７は、１つのスイッチ（例えば、押釦スイッチ）で構成され、スイッチが操作されたときに当該スイッチに対応した操作信号を信号処理部４１に出力するように構成されている。ここでは、当該スイッチを操作する毎に、第１モードと第２モードとを交互に切り替える構成となっている。勿論、この構成に限定する趣旨ではなく、例えば切替部４７を２つのスイッチで構成してもよい。この構成では、一方のスイッチを操作すると第１モードに、他方のスイッチを操作すると第２モードに切り替えることが可能である。
【００６８】
以下、モードを切り替える処理について説明する。切替部４７が操作されると、表示端末４は、割込信号を発生させる。伝送制御装置５は、割込ポーリングモードにおいて表示端末４を認識すると、監視モードにおいて表示端末４のアドレスデータＡＤを持つ伝送信号Ｓ１を信号線Ｌ１に送出する。表示端末４は、この伝送信号Ｓ１に対して、現在のモードを示すモードデータを信号返送期間ＷＴに返送する。これにより、伝送制御装置５は、表示端末４の現在のモードを管理することができる。
【００６９】
次に、伝送制御装置５は、第１モードであれば制御データＣＤに領域データを格納し、第２モードであれば制御データＣＤに監視データを格納し、アドレスデータＡＤに表示端末４のアドレスを格納した伝送信号Ｓ１を送出する。そして、表示端末４は、この伝送信号Ｓ１を受信すると、第１モードであれば領域データに基づいて検知領域１０を表示部４５に表示し、第２モードであれば監視データに基づいて画像センサ２の検知結果を表示部４５に表示する。
【００７０】
以下、表示部４５が図５Ａ〜図５Ｃに示す構成の場合における、画像センサ２の検知結果の表示について説明する。例えば、検知領域１０内に人Ｈ１が存在しない場合、表示端末４は、図５Ａにおける下側の透光部４５０に対応する発光素子を点灯する。また、検知領域１０内に人が滞在している場合、表示端末４は、図５Ａにおける真ん中の透光部４５０に対応する発光素子を点灯する。また、検知領域１０内を人Ｈ１が移動している場合、表示端末４は、図５Ａにおける上側の透光部４５０に対応する発光素子を点灯する。
【００７１】
この構成では、ユーザは表示端末４で検知領域１０を確認するのみならず、画像センサ２の検知結果を確認することもできる。なお、当該構成を採用するか否かは任意である。また、検知領域１０をブロックＹ１１〜Ｙ６６で表す構成の場合、監視データは、検知領域１０のブロックごとに人Ｈ１の存否を示すデータであってもよい。この監視データを用いる場合、例えばブロックＹ１２に人Ｈ１が存在すれば、表示端末４は、ブロックＹ１２の色を変更するなどして他のブロックとは異なるように表示部４５に表示する。この場合、ユーザは検知領域１０内における人Ｈ１の存否をより細かく確認することができる。
【００７２】
ところで、本実施形態の負荷制御システム１では、制御端末３は、画像センサ２から伝送される監視データに基づいて負荷を制御するように構成されている。以下、監視データに基づいて負荷を制御する処理について説明する。伝送制御装置５は、画像センサ２から伝送された監視データに基づいて、画像センサ２と対応する制御端末３に接続された負荷を制御する制御データＣＤを生成する。例えば、負荷が照明負荷であれば、伝送制御装置５は、監視データが人Ｈ１の滞在を示している場合、制御データＣＤとして照明負荷を定格点灯させるためのデータを生成する。また、伝送制御装置５は、監視データが人Ｈ１の移動を示している場合、制御データＣＤとして照明負荷を調光点灯させるためのデータを生成する。また、伝送制御装置５は、監視データが人Ｈ１の不在を示している場合、制御データＣＤとして照明負荷を消灯させるためのデータを生成する。
【００７３】
次に、伝送制御装置５は、制御データＣＤと、制御端末３のアドレスに一致するアドレスデータＡＤとを含む伝送信号Ｓ１を、信号線Ｌ１を介して制御端末３に伝送する。そして、制御端末３は、この伝送信号Ｓ１を受信すると、制御データＣＤに基づいてリレー６を制御し、負荷を制御する。すなわち、制御端末３は、監視データに基づいて負荷を制御する。
【００７４】
この構成では、制御端末３が画像センサ２の検知結果に基づいて負荷（照明負荷）を制御するので、より一層の低消費電力化を図ることが可能となる。なお、当該構成を採用するか否かは任意である。
【００７５】
なお、表示端末４は、負荷制御システム１に用いられる既存の機器（例えば照明負荷を調光するために用いる調光器など）と兼用してもよい。この場合、検知領域１０の確認と、照明負荷の調光とを１つの機器で行うことができるので、好ましい。
【符号の説明】
【００７６】
１  負荷制御システム
１０  検知領域
２  画像センサ
４  表示端末
４５  表示部
５  伝送制御装置
Ｌ１  信号線
【図１】
2015152314.tif 000003
【図２】
2015152314.tif 000004
【図３】
2015152314.tif 000005
【図４】
2015152314.tif 000006
【図５】
2015152314.tif 000007
【図６】
2015152314.tif 000008
【図７】
2015152314.tif 000009
【図８】
2015152314.tif 000010
【図９】
2015152314.tif 000011
【図１０】
2015152314.tif 000012
【図１１】
2015152314.tif 000013